(57)【要約】【課題】明瞭なライン状に発光する灯具ユニットを提供する。【解決手段】灯具ユニット１は、前方を向く光軸Ａｘを有する光源１０と、左右方向に延在するように光源１０の前方に配設された導光体２０とを備える。導光体２０は、後面に突設された第１入射部２１と、前面に左右方向へ長尺に形成された出射面２４と、第１入射部２１からの光を前面から後面へ内部反射させる第１反射面２３１と、左右方向へ第１入射部２１と並設され、第１反射面２３１からの光を出射面２４のうちの対応する第１出射部分２４ａへ個別に内部反射させる複数の第２反射面２３２と、隣り合う第２反射面２３２の間に形成され、光源１０からの光のうち第１入射部２１よりも側方へ向かう光を出射面２４のうち隣り合う第１出射部分２４ａの間の第２出射部分２４ｂに向けつつ当該導光体２０内へ入射させる第２入射部２２と、を有する。【選択図】図２
2012022943.tif 000002
【特許請求の範囲】
【請求項１】
前方を向く光軸を有する光源と、前記光軸と直交する光軸直交方向に延在するように前記光源の前方に配設された導光体と、を備え、
前記導光体は、
前記光源と対向させて前記光源側の一方の面に突設された第１入射部と、
前記光軸直交方向に沿って並んだ複数の第１出射部分、及び、隣り合う前記第１出射部分の間に形成された第２出射部分を有し、前記一方の面とは反対側の他方の面に前記光軸直交方向へ長尺に形成された出射面と、
前記他方の面に形成され、前記第１入射部から当該導光体内へ入射した光を前記一方の面に向けて内部反射させる第１反射面と、
前記光軸直交方向に沿って前記第１入射部と並ぶように前記一方の面に複数形成され、前記第１反射面で内部反射された光を前記出射面のうちの対応する前記第１出射部分に向けて個別に内部反射させる第２反射面と、
前記一方の面のうち隣り合う前記第２反射面の間に形成され、前記光源から出射された光のうち前記第１入射部よりも側方へ向かう光を前記出射面のうちの前記第２出射部分に向けつつ当該導光体内へ入射させる第２入射部と、
を有することを特徴とする灯具ユニット。
【請求項２】
前記第１入射部は、前記光源と対向する凸面状に形成された第１入射面を有し、前記光源から出射された光を前記第１入射面により前記光軸に沿った光軸方向へ屈折させつつ前記導光体内へ入射させ、
前記第１反射面は、前記第１入射部の前記光軸方向に位置するとともに、前記光軸に対し４５度の角度で前記光軸直交方向の両側へ個別に傾斜するように前記他方の面に一対をもって凹設され、
前記第２反射面は、前記第１反射面の前記光軸直交方向の両側に位置するとともに、前記第１出射部分が当該第２反射面の前記光軸方向に位置するように配設され、一対の前記第１反射面のうち何れか近方の前記第１反射面と平行にそれぞれ形成されていることを特徴とする請求項１に記載の灯具ユニット。
【請求項３】
前記第２入射部は、
前記第２出射部分が当該第２入射部の前記光軸方向に位置するように配設されるとともに、
前記光源から出射された光を前記導光体内へ入射させる第２入射面と、当該第２入射面から前記導光体内へ入射した光を前記光軸に沿った光軸方向へ内部反射させる第３反射面と、を有することを特徴とする請求項１又は２に記載の灯具ユニット。
【請求項４】
前記導光体は、前記光軸を中心に前記光軸直交方向で対称形に形成されていることを特徴とする請求項１〜３の何れか一項に記載の灯具ユニット。
【発明の詳細な説明】
【技術分野】
【０００１】
本発明は、灯具ユニットに関する。
【背景技術】
【０００２】
従来、車両用信号灯や装飾灯などに用いられる灯具ユニットとして、例えば特許文献１に記載のような、前方へライン状に発光するものが知られている。
【０００３】
この特許文献１に記載の灯具ユニット９００は、図６に示すように、ＬＥＤ等の光源９０１と、光源９０１の前方に配置された左右に長尺な導光体９０２とを備えている。導光体９０２には、光源９０１を焦点とする回転放物面状の左右一対の第１反射面９０２ａ，９０２ａが前面の中央部に形成され、左右へ長尺な出射面９０２ｂが第１反射面９０２ａ，９０２ａの両側に形成され、複数の第２反射面９０２ｃ，…が出射面９０２ｂと反対側の面に断続的に形成されている。
このような構成により、灯具ユニット９００では、光源９０１から出射されて導光体９０２内へ入射した光が、一対の第１反射面９０２ａ，９０２ａで左右へ反射され、複数の第２反射面９０２ｃ，…で前方へ反射されて出射面９０２ｂから拡散出射されることにより、当該出射面９０２ｂがライン状に発光するようになっている。
【先行技術文献】
【特許文献】
【０００４】
【特許文献１】特許第４２９０６０１号公報
【発明の概要】
【発明が解決しようとする課題】
【０００５】
しかしながら、上記の灯具ユニット９００では、隣り合う第２反射面９０２ｃ間の間隙部９０２ｄからは出射面９０２ｂへ向けて積極的に光が反射されないために、正面（前方）から出射面９０２ｂを見たときに、間隙部９０２ｄの前方に位置する部分が第２反射面９０２ｃの前方に位置する部分よりも暗く（ダーク部に）なっていた。つまり、この灯具ユニット９００では、出射面９０２ｂの発光に輝度ムラを生じており、当該出射面９０２ｂが明瞭なライン状に発光していなかった。
なお、灯具ユニット９００では、間隙部９０２ｄにＶ字状の複数の溝部を設けて導光体９０２内の迷光を反射できるようにしているものの、これに因ったところで間隙部９０２ｄに相当する部分が幾分明るくなる程度であって、上述の輝度ムラは解消し得ない。
【０００６】
本発明の課題は、従来に比べ、明瞭なライン状に発光する灯具ユニットを提供することである。
【課題を解決するための手段】
【０００７】
上記課題を解決するために、請求項１に記載の発明は、灯具ユニットにおいて、
前方を向く光軸を有する光源と、前記光軸と直交する光軸直交方向に延在するように前記光源の前方に配設された導光体と、を備え、
前記導光体は、
前記光源と対向させて前記光源側の一方の面に突設された第１入射部と、
前記光軸直交方向に沿って並んだ複数の第１出射部分、及び、隣り合う前記第１出射部分の間に形成された第２出射部分を有し、前記一方の面とは反対側の他方の面に前記光軸直交方向へ長尺に形成された出射面と、
前記他方の面に形成され、前記第１入射部から当該導光体内へ入射した光を前記一方の面に向けて内部反射させる第１反射面と、
前記光軸直交方向に沿って前記第１入射部と並ぶように前記一方の面に複数形成され、前記第１反射面で内部反射された光を前記出射面のうちの対応する前記第１出射部分に向けて個別に内部反射させる第２反射面と、
前記一方の面のうち隣り合う前記第２反射面の間に形成され、前記光源から出射された光のうち前記第１入射部よりも側方へ向かう光を前記出射面のうちの前記第２出射部分に向けつつ当該導光体内へ入射させる第２入射部と、
を有することを特徴とする。
【０００８】
請求項２に記載の発明は、請求項１に記載の灯具ユニットにおいて、
前記第１入射部は、前記光源と対向する凸面状に形成された第１入射面を有し、前記光源から出射された光を前記第１入射面により前記光軸に沿った光軸方向へ屈折させつつ前記導光体内へ入射させ、
前記第１反射面は、前記第１入射部の前記光軸方向に位置するとともに、前記光軸に対し４５度の角度で前記光軸直交方向の両側へ個別に傾斜するように前記他方の面に一対をもって凹設され、
前記第２反射面は、前記第１反射面の前記光軸直交方向の両側に位置するとともに、前記第１出射部分が当該第２反射面の前記光軸方向に位置するように配設され、一対の前記第１反射面のうち何れか近方の前記第１反射面と平行にそれぞれ形成されていることを特徴とする。
【０００９】
請求項３に記載の発明は、請求項１又は２に記載の灯具ユニットにおいて、
前記第２入射部は、
前記第２出射部分が当該第２入射部の前記光軸方向に位置するように配設されるとともに、
前記光源から出射された光を前記導光体内へ入射させる第２入射面と、当該第２入射面から前記導光体内へ入射した光を前記光軸に沿った光軸方向へ内部反射させる第３反射面と、を有することを特徴とする。
【００１０】
請求項４に記載の発明は、請求項１〜３の何れか一項に記載の灯具ユニットにおいて、
前記導光体は、前記光軸を中心に前記光軸直交方向で対称形に形成されていることを特徴とする。
【発明の効果】
【００１１】
本発明によれば、光源から出射された光のうち第１入射部から導光体内へ入射する光が、第１反射面で内部反射され、更に複数の第２反射面で内部反射された後に、出射面のうち複数の第２反射面と個別に対応する複数の第１出射部分から前方へ出射する。また、光源から出射された光のうち第１入射部よりも側方へ向かう光が、第２入射部から導光体内へ入射するとともに、当該第２入射部によって出射面のうちの第２出射部分に向けられた後に、当該第２出射部分から前方へ出射する。こうして、光軸直交方向へ長尺な出射面がライン状に発光する。
このように、第２反射面からの光が出射する複数の第１出射部分の間の第２出射部分を第２入射部によって積極的に発光させることにより、当該第２出射部分がダーク部となっていた従来の灯具ユニットに比べ、出射面の輝度ムラを低減させて当該出射面を明瞭なライン状に発光させることができる。
【図面の簡単な説明】
【００１２】
【図１】実施形態における灯具ユニットの正面図である。
【図２】図１のII−II線での断面図である。
【図３】灯具ユニット内の光路を説明するための図である。
【図４】実施形態の変形例における灯具ユニットを説明するための図である。
【図５】実施形態の他の変形例における灯具ユニットの断面図である。
【図６】従来の灯具ユニットを説明するための図である。
【発明を実施するための形態】
【００１３】
以下、本発明の実施形態について図面を参照して説明する。但し、発明の範囲は以下の実施形態及び図示例に限定されない。
【００１４】
＜灯具ユニットの構成＞
図１は、本実施形態における灯具ユニット１の正面図であり、図２は、図１のII−II線での断面図である。
これらの図に示すように、灯具ユニット１は、光源１０と、光源１０の前方に配設された導光体２０とを備えており、図示しないハウジング及び透光カバーからなる灯室内に収容されている。
【００１５】
光源１０は、例えば発光ダイオード等の発光体であり、図示しない基板に実装されている。この光源１０は、前方を向く光軸Ａｘを有しており、当該光軸Ａｘを中心に前方へ略放射状に光を照射する。この光源１０から放射状に照射される光はランバーシアン配光を示し、光軸Ａｘに対し６０°を越える角度まで照射される。また、光源１０は、光軸Ａｘの光強度を１としたときに、光軸Ａｘに対し４０°以上の角度の範囲において０．５の光強度となるような光源である。
【００１６】
導光体２０は、光源１０から出射された光をライン状に発光させるためのものである。この導光体２０は、光軸Ａｘと直交する左右方向に延在するように長尺に形成されており、本実施形態においては、光軸Ａｘを中心に左右対称形に形成されている。
具体的には、導光体２０は、光源１０から出射された光を当該導光体２０内へ入射させる第１入射部２１及び第２入射部２２と、当該導光体２０内から光を出射させる出射面２４と、第１入射部２１から出射面２４へ光を導く導光部２３と、を有している。
【００１７】
このうち、第１入射部２１は、光源１０と対向するように導光体２０の後面（光源１０側の面）に突設されている。この第１入射部２１の後端には、後方へ膨出する凸面状（非球面）の第１入射面２１１が、光軸Ａｘを回転対称軸として光源１０と対向するように形成されている。この第１入射面２１１は、その焦点に光源１０が位置するように配設されており、光源１０から出射された光を光軸Ａｘに沿った方向（以下、光軸Ａｘ方向という）へ屈折させつつ導光体２０内へ入射させる。
具体的には、光源１０の発光中心から出射した光は、大気中を通って第１入射面２１１に到達し、両者の屈折率の違いに応じて屈折する。そして、屈折した光が前記発光中心を通る光軸Ａｘと平行方向に向かって直進するように、連続曲面からなる凸状屈折面を設計する。すなわち、このような連続曲面は、導光体２０の屈折率、発光中心の位置、第１入射面２１１の位置を特定し、当該特定点において光軸Ａｘ方向に屈折する接線角度をシミュレーションにより算出し、それらの接線を連続的に結んだ自由曲面として決定される。この自由曲面を光軸Ａｘを中心として回転させることにより得られる後方へ膨出する凸面状の形状を第１入射面２１１としている。また、第１入射面２１１と光軸Ａｘとの交点における接線は９０°として直進するようにしている。
例えば、導光体２０を屈折率１．４７のアクリル樹脂により形成した場合には、光軸Ａｘに対し１０°の角度で出射した光は、第１入射面２１１に入射したときの入射角が、入射面の接線に対し７０°となるようにすると、屈折光が光軸Ａｘ方向となる。
【００１８】
導光部２３は、導光体２０の前面に形成された左右一対の第１反射面２３１，２３１と、導光体２０の後面に形成された複数の第２反射面２３２，…とを有している。
このうち、一対の第１反射面２３１，２３１は、第１入射部２１の光軸Ａｘ方向に位置するように導光体２０の前面に凹設されている。具体的には、この一対の第１反射面２３１，２３１は、側面視で光軸Ａｘ上の点を屈曲点とするく字状に形成されており、光軸Ａｘに対し４５度の角度で左方向と右方向とに個別に傾斜した傾斜平面としている。そして、この一対の第１反射面２３１，２３１は、第１入射面２１１から導光体２０内に入射して光軸Ａｘ方向へ進む光を、導光体２０後面の第２反射面２３２，…に向かうように、光軸Ａｘを境に左方向及び右方向へ分岐させつつ内部反射させる。すなわち、前記した光源１０の発光中心から出射した光は、第１入射面２１１にて屈折した後、光軸Ａｘと平行な方向に向かって直進し、その屈折光が第１反射面２３１にて反射することで、導光体２０内を左方向または右方向に向かう光路の平行光線となる。
一方、第２反射面２３２，…は、左右方向に沿って第１入射部２１と並ぶように、導光体２０の後面の左右両側部分にそれぞれ複数（本実施形態では３つ）形成されている。この第２反射面２３２，…は、左右両側のそれぞれにおいて、当該各第２反射面２３２が第２入射部２２と左右方向へ交互に連なりつつ、光軸Ａｘから離れるに連れて段階的に前方に位置するように配設されている。また、第２反射面２３２，…は、導光体２０の厚さ方向（図１の上下方向）へ一様に延在するとともに、一対の第１反射面２３１，２３１のうち何れか近い方の第１反射面２３１と平行になるように形成されている。すなわち、第２反射面２３２，・・・の各々は、光軸Ａｘに対し４５°の角度で左方向または右方向に個別に傾斜した傾斜平面となっている。この第２反射面２３２，…は、第１反射面２３１，２３１の左右方向の両側に位置しており、第１反射面２３１，２３１で左方向及び右方向へ分岐されつつ内部反射された光を光軸Ａｘ方向へ個別に内部反射させ、出射面２４のうちの後述の第１出射部分２４ａに向かわせる。なお、第２反射面２３２，…は、図１における紙面上下方向（前後方向）にストライプ状に等間隔に設けるのが好ましい。第２反射面２３２，…を等間隔に設けることで、ライン状の発光面（出射面２４）における明るさの均一感を高めるとともに、外観を観察したときに感じる発光面方向（左右方向）の統一感を得ることができる。
【００１９】
第２入射部２２は、導光体２０の後面のうち隣り合う第２反射面２３２の間にそれぞれ形成され、導光体２０の厚さ方向へ一様に延在するとともに側面視で略三角形状をなすように後方へ立設されている。
この第２入射部２２のうち光軸Ａｘに近い側の面は、光源１０から出射された光のうち第１入射部２１よりも左右側方へ向かう光を導光体２０内へ入射させる第２入射面２２１を構成している。この第２入射面２２１は、下方へ略垂直に屹立しており、より詳細には、導光体２０の成形時における成形型からの抜き勾配として左右側方へ僅かに傾斜している。一方、第２入射部２２のうち光軸Ａｘから遠い側の面は、第２入射面２２１から導光体２０内へ入射した光を光軸Ａｘ方向へ内部反射させる第３反射面２２２を構成している。
この第２入射部２２は、光源１０から出射された光のうち第１入射部２１よりも側方へ向かう光を、出射面２４のうちの後述の第２出射部分２４ｂに向けつつ導光体２０内へ入射させる。
【００２０】
また、第２入射部２２を設ける位置は、第１入射部２１よりも左側または右側とし、第２反射面２３２に隣接した位置とする。これにより、第２入射部２２は、光源１０から出射して第１入射部２１よりも左側または右側に向かう光を、導光体２０内に入射させる機能を担う。第１入射部２１は、前述したように第１入射面２１１による屈折作用により、光源１０から出射した光を光軸Ａｘ方向に向かう光としている。従って、光源１０から出射する光のうち、より側方方向に向かう光、換言すれば、光軸Ａｘに対し９０°方向に向かう光については、臨界角を超えてしまうため、利用することができない。また、臨界角を超えない場合においても、入射光成分に比べて入射面界面における反射成分が増大し、光の利用効率が低下するため好ましくない。
そこで、例えば、導光体２０を屈折率１．４７のアクリル樹脂により形成した場合には、光軸Ａｘに対して３０°を超えると反射成分が相対的に増加するので、３０°を超えない範囲内に第１入射部２１を設け、３０°を超える左側および右側に第２入射部２２を設ける。光源１０は、前述したランバーシアン配光のＬＥＤ光源を用いている。よって、３０°より内側の第１入射部２１を照射する光源１０の光強度は光軸Ａｘの光強度の５０％以上の強い光であり、この強い光を導光体２０内に入射して利用する。
【００２１】
また、複数の第２入射部２２，…のうち、第１入射部２１に隣接するものは、その最も光源１０側（後側）の先端が、第１入射面２１１の最も前方側よりも後方に位置する。これにより、光源１０から照射され、光軸Ａｘに対して３０°を超える光、すなわち、相対光強度が５０％を超える光を導光体２０内に導入することができると共に、第１入射面２１１にて反射した光の一部も導光体２０内に導入することができる。
さらに、前述したように第２反射面２３２は、導光体２０の厚さ方向に一様に延在する平面として左側および右側において複数設けられている。したがって、第２入射部２２も、第２反射面２３２と同様に導光体２０の厚さ方向に一様に延在するように設けるのが好適である。
【００２２】
なお、本実施形態では、光軸Ａｘの前側および後側には第２入射部２２を設けていない。これは、光軸Ａｘに対し３０°の範囲の光を入射する第１入射面２１１の左右方向断面にて現われる断面形状の自由曲面を、光軸Ａｘを中心として得られる回転面の前後方向の大きさと導光体２０の厚さ方向（図１における紙面上下方向）を同じにして、厚さ方向の寸法を狭くしたライン状の発光を得るためである。
【００２３】
ところで、実際の光源１０は、発光中心の大きさの点光源ではなく、第１反射面２３１よりも小さな大きさの点光源に類似する光源である。よって、図３に示した光路のみでなく、この光路から外れる光路、具体的には発光中心に隣接する位置から出射する光源１０からの照射光が存在する。それらの光は、第１反射面２３１，２３１において反射するものの、一部は第１反射面を透過して前方方向に向かう光となる。このように完全な点光源でなく、光軸Ａｘ上以外の点からも出射する光源１０を用いて、第１反射面２３１を透過する光成分を生じるようにすることが、ダーク部の少ないライン状の発光を得るうえでは好適である。
また、第１反射面２３１および第２反射面２３２の何れにもアルミニウム蒸着膜などの反射層を形成せずに、スネルの法則を利用した内面反射面とすることが好適である。反射層を形成すると、非点灯時において反射層が観視され、灯具全体の透明感を損なうからである。
【００２４】
出射面２４は、第１反射面２３１，２３１を挟んで導光体２０の前面の左右両側に配設され、それぞれ左右方向へ長尺な平坦な面に形成されている。この出射面２４は、左右方向に沿って並んだ複数の第１出射部分２４ａ、及び、隣り合う第１出射部分２４ａの間に形成された複数の第２出射部分２４ｂを有している。このうち、第１出射部分２４ａは、第２反射面２３２に対応して当該第２反射面２３２，…の光軸Ａｘ方向にそれぞれ位置するように配設されている。一方、第２出射部分２４ｂは、第２入射部２２に対応して当該第２入射部２２，…の光軸Ａｘ方向にそれぞれ位置するように配設されている。
なお、出射面２４は、本実施形態においては平坦な面となっているが、例えば、導光体２０の厚さ方向に母線を持つとともに前方へ膨出するシリンドリカル面が左右方向に並設された面とし、当該シリンドリカル面により光が拡散出射されるように構成してもよい。
また、光軸Ａｘに最も近い第２反射面２３２と第１入射部２１との間には立壁２１２が存在するのが好ましい。前述したように、実際の光源１０は、発光中心の大きさの点光源ではなく、第１反射面２３１よりも小さな大きさの点光源に類似する光源である。発光中心に隣接する位置から出射する光源１０からの照射光が第１入射面２１１から導光体２０内に入ったとき、その光の一部はこの立壁２１２にて内面反射される。立壁２１２にて内面反射された光は第１反射面２３１に向かうが、このとき光軸Ａｘに対して傾斜した光となる。よって、第１反射面２３１を透過して出射する光の成分が増加し、光軸Ａｘ上もしくはその近傍がダーク部となることを、より一層抑止することができる。
【００２５】
以上の構成を具備する導光体２０では、図３に示すように、光源１０から出射された光のうち第１入射部２１へ向かう光が、第１入射面２１１により光軸Ａｘ方向への平行光とされつつ当該導光体２０内へ入射し、一対の第１反射面２３１，２３１により光軸Ａｘを境に左方向及び右方向へ分岐されつつ内部反射される。この光は、複数の第２反射面２３２，…によって左右方向に分散されつつ光軸Ａｘ方向へ内部反射された後に、出射面２４のうちの第１出射部分２４ａ，…から前方へ出射する。
また、導光体２０では、光源１０から出射された光のうち第１入射部２１よりも左右側方へ向かう光が、第２入射部２２，…の各第２入射面２２１から当該導光体２０内へ入射し、各第３反射面２２２により光軸Ａｘ方向へ内部反射された後に、出射面２４のうちの第２出射部分２４ｂ，…から前方へ出射する。
こうして、左右方向へ長尺な出射面２４が一対の第１反射面２３１，２３１を挟んでライン状に発光する。
【００２６】
＜作用・効果＞
以上の灯具ユニット１によれば、第２反射面２３２からの光が出射する第１出射部分２４ａ，…の間の第２出射部分２４ｂを第２入射部２２によって積極的に発光させることにより、当該第２出射部分２４ｂがダーク部となっていた従来の灯具ユニットに比べ、出射面２４の輝度ムラを低減させて当該出射面２４を明瞭なライン状に発光させることができる。
【００２７】
また、第１入射面２１１から導光体２０内に入射した光を光軸Ａｘ方向への平行光とした後に、光軸Ａｘと４５度の角度をなす一対の第１反射面２３１，２３１により当該平行光を左方向及び右方向へ分岐させているので、一対の第１反射面２３１，２３１をそれぞれ回転放物面状に形成していた従来の灯具ユニットに比べ、正面から見たときにダーク部となる当該一対の第１反射面２３１，２３１を左右方向に短く形成することができる。
【００２８】
また、一対の第１反射面２３１，２３１をそれぞれ光軸Ａｘと４５度の角度をなす平面としているので、当該一対の第１反射面２３１，２３１をそれぞれ回転放物面状に形成していた従来の灯具ユニットに比べ、この一対の第１反射面２３１，２３１による導光体２０の前面の凹みを小さくすることができ、見栄えを良くすることができる。
【００２９】
＜変形例＞
なお、本発明を適用可能な実施形態は、上述した実施形態に限定されることなく、本発明の趣旨を逸脱しない範囲で適宜変更可能である。
【００３０】
例えば、上記実施形態では、第１入射部２１と最初（最も中央寄り）の第２入射部２２との間に第２反射面２３２を設けたが、図４（ａ）〜（ｄ）に示すように、第２反射面２３２を介すことなく第１入射部２１と最初の第２入射部２２とを隣接させてもよい。さらに、上記実施形態では、第１入射部２１と第１反射面２３１，２３１とを対応する左右方向位置に設けるものとしたが、第１反射面２３１，２３１と対応する左右方向位置に、第１入射部２１および最初の第２入射部２２を設けてもよい。このようにすることで、上記実施形態に比べて、光源１０を導光体２０により近づけた場合であっても、導光体２０内に導入する光量成分を多くすることができる。
【００３１】
また、出射面２４を平坦な面として説明したが、図５に示すように、第２出射部分２４ｂが底面となるような凹部２４１を有する段付き面としてもよい。このような凹部２４１を設けることにより、導光体２０の軽量化や材料費のコストダウンを図ることができる。なお、この凹部２４１の深さは、当該凹部２４１が導光体２０内での左右方向への光路を遮らず、且つ、正面からの見栄えを損なわない範囲であるのが好ましい。
【００３２】
また、第２反射面２３２，…は、導光体２０の後面の左右両側部分にそれぞれ３つ形成されるものとしたが、この数量は複数であれば特に限定されず、２つであってもよいし、４つ以上であってもよい。但し、第２反射面２３２，…を４つ以上とした場合に、隣り合う第２反射面２３２の間の全てに第２入射部２２を設けた方が好ましいのは勿論である。
【００３３】
また、一対の第１反射面２３１，２３１は、光軸Ａｘを中心に左方向及び右方向へ光を分岐させるものとしたが、左方向及び右方向へ光を分岐させるものであれば、光軸Ａｘを中心としなくともよい。
【００３４】
また、灯具ユニット１は、一組の光源１０及び導光体２０からなるものとしたが、複数組の光源１０及び導光体２０を左右へ連結させて、更に長尺なライン状に発光するものとしてもよい。
【００３５】
また、光源１０は、いわゆる狭角タイプよりも広角タイプである方が好ましい。
【００３６】
また、左側および右側の各々に設けた複数の第２入射部２２は、光軸Ａｘに近い第２入射部２２よりも、光軸Ａｘから遠い側の第２入射部２２の方が、光源１０から出射された光の取込み角度が大きくなるようにすることが好ましい。光軸Ａｘから遠い側の第２入射部２２は、光軸Ａｘに近い第２入射部２２に比べて、光源１０の光軸に対しより９０°方向、すなわち側方方向に向かって照射される光を取込むものとなる。光源１０はランバーシアン配光を示す配光パターンを示すので、光軸Ａｘの光強度に比べて側方方向に向かって照射される光の光強度の方が低い。よって、光の取込み角度が大きくなるようにすることで、ライン状とした光源の長手方向端部側の光強度を同一の取込み角とした場合に比べて高くすることができ、全体の均一感を高めることができる。
【００３７】
また、第１入射部２１は、光軸Ａｘに対して３０°以内の領域としたが、４０°以内としても良く、５０°を越えないようにすることが好ましい。５０°を越える場合には、第１入射面２１１における表面反射成分が増大し、入射成分に対し反射成分が顕著に大きくなるからである。
【符号の説明】
【００３８】
１        灯具ユニット
１０      光源
２０      導光体
２１      第１入射部
２１１    第１入射面
２２      第２入射部
２２１    第２入射面
２２２    第３反射面
２３      導光部
２３１    第１反射面
２３２    第２反射面
２４      出射面
２４ａ    第１出射部分
２４ｂ    第２出射部分
２４１    凹部
Ａｘ      光軸
【図１】
2012022943.tif 000003
【図２】
2012022943.tif 000004
【図３】
2012022943.tif 000005
【図４】
2012022943.tif 000006
【図５】
2012022943.tif 000007
【図６】
2012022943.tif 000008